(57)【特許請求の範囲】
【請求項１】
記録媒体に画像を形成する画像形成部を内蔵する本体の一面に、前記画像形成部で画像を形成された記録媒体が排出されて積層される排出面が設けられ、画像を読み取る画像読取部を備える作動体が、前記本体に対して、前記排出面を覆う第１の位置と前記排出面を開放する第２の位置との間で移動可能に保持される画像形成装置において、
前記本体の背面側に設けられ、前記画像形成部で画像を形成された前記記録媒体を前記排出面に排出する排出口と、
前記本体の前記排出口側に配設され、前記作動体を前記本体に対して回動可能に連結する連結手段と、
前記排出面に排出された前記記録媒体の積載量を検出する積載量検出手段と、
前記積載量検出手段が検出した前記記録媒体の積載量が所定値を超えたときに、前記作動体が前記第１の位置から前記第２の位置に向かって回動することを許容する許容手段と、
前記画像形成部により読み取った画像を前記記録媒体に形成するコピーモードを選択するコピーモード選択手段と、
前記積載量検出手段が検出した前記記録媒体の積載量が所定値を超えたときに、前記コピーモード選択手段が前記コピーモードを選択している際には、前記作動体が前記第１の位置から前記第２の位置に向かって回動することを禁止する変位禁止手段とを有することを特徴とする画像形成装置。
【請求項２】
記録媒体に画像を形成する画像形成部を内蔵する本体の一面に、前記画像形成部で画像を形成された記録媒体が排出されて積層される排出面が設けられ、画像を読み取る画像読取部を備える作動体が、前記本体に対して、前記排出面を覆う第１の位置と前記排出面を開放する第２の位置との間で移動可能に保持される画像形成装置において、
前記本体の背面側に設けられ、前記画像形成部で画像を形成された前記記録媒体を前記排出面に排出する排出口と、
前記本体の前記排出口側に配設され、前記作動体を前記本体に対して回動可能に連結する連結手段と、
前記排出面に排出された前記記録媒体の積載量を検出する積載量検出手段と、
前記作動体を前記第１の位置から前記第２の位置に回動させる駆動手段と、
前記積載量検出手段が検出した前記記録媒体の積載量が所定値を超えたときに、前記駆動手段により前記作動体を前記第１の位置から前記第２の位置に向かって回動させる駆動制御手段と、
前記画像読取部により読み取った画像を前記記録媒体に形成するコピーモードを選択するコピーモード選択手段と、
前記積載量検出手段が検出した前記記録媒体の積載量が所定値を超えたときに、前記コピーモード選択手段が前記コピーモードを選択している際には、前記駆動手段の駆動を中止する駆動中止手段とを有することを特徴とする画像形成装置。
【請求項３】
請求項１又は請求項２に記載する画像形成装置において、
前記作動体の位置を検出する作動体位置検出手段と、
前記積載量検出手段が検出した前記記録媒体の積載量が所定値を超え、且つ、前記作動体位置検出手段が前記作動体が前記第２の位置にないことを検出したときに、前記画像形成部による画像形成を中止する画像形成中止手段を有することを特徴とする画像形成装置。
【発明の詳細な説明】
【技術分野】
【０００１】
本発明は、記録媒体に画像を形成する画像形成装置に関する。
【背景技術】
【０００２】
従来の画像形成装置では、所望の画像形成がなされた記憶媒体としての用紙を排紙する場合、装置本体外の左側又は右側に排紙トレイを設けて、この排紙トレイ上に用紙を排紙していた。しかし、このような排紙の仕方であると、装置本体の配置スペースに加えて、排紙トレイ分の配置スペースを余分に確保する必要がある。そこで、近年においては、胴内排紙タイプの画像形成装置が提案されている。
【０００３】
例えば特許文献１に記載される画像形成装置は、画像形成部を内蔵する装置本体と、装置本体の上部位置に配されて画像を読み取る画像読取部との間に排紙トレイを設け、装置本体で画像を形成された用紙を排出口から排紙トレイに排出して積層する。画像形成装置は、画像読取部が装置本体に回動可能に保持されており、排紙トレイを露出させるように画像読取部を回動させることにより、用紙取出時に胴内開放部の空間を広く確保し、例えば、用紙の排出口に紙詰まりした用紙を容易に取り除いたり、或いは、普通紙よりサイズの小さい葉書を胴内排紙部から容易に取り出すことができる。
【０００４】
ところが、特許文献１に記載される画像形成装置は、胴内排紙部の空間を狭くして全高を低くしているため、用紙が胴内排紙部にいっぱいになりやすかった。特に、例えば、レーザプリンタのように定着ローラと押圧ローラとの間で用紙に熱を加える場合、用紙がカールされた状態で排紙トレイに排紙されるため、胴内排紙部に用紙を規定枚数だけ排紙する前に、用紙が胴内排紙部にいっぱいになりやすかった。用紙が胴内排紙部にいっぱいになると、後に排出口から排紙トレイに排紙される用紙の先端が、先に排紙トレイに排出された用紙の後端に突き当たり、先に排紙された用紙を装置外部に落としたり、後に排紙される用紙がジャムを生じるなどの不具合を生じる。特許文献１に記載される画像形成装置は、かかる不具合に対する対策を何ら講じていなかった。
【０００５】
この点、特許文献２に記載される画像形成装置は、用紙の排出口近傍に固定した支軸に可動排紙トレイを回動可能に取り付けて、胴内排紙部に内設した最上位検出手段によって、可動排紙トレイに排出された用紙の最上位を検出し、最上位検出手段が、可動排紙トレイに排出された用紙の最上位が基準設定位置の上限を超えたことを検出したときに、可動排紙トレイを下降方向へ回動させて胴内排紙部の空間を高さ方向に広げ、積載不良を防止している。
【０００６】
【特許文献１】特開２００３−２４１４６０号公報
【特許文献２】特開２０００−１１８８４１号公報
【発明の開示】
【発明が解決しようとする課題】
【０００７】
しかしながら、特許文献２に記載される画像形成装置は、可動排紙トレイを下降方向へ回動させるために、予め胴内排紙部の空間を高さ方向に広げておく必要があり、装置が大型化していた。
【０００８】
そこで、本発明は、上記課題を解決するため、排出面上の空間を小さくして装置サイズの小型化を図りつつ、良好なスタック性を維持できる画像形成装置を提供することを目的とする。
【課題を解決するための手段】
【０００９】
記録媒体に画像を形成する画像形成部を内蔵する本体の一面に、画像形成部で画像を形成された記録媒体が排出されて積層される排出面が設けられ、画像を読み取る画像読取部を備える作動体が、本体に対して、排出面を覆う第１の位置と排出面を開放する第２の位置との間で移動可能に保持される画像形成装置において、本体の背面側に設けられ、画像形成部で画像を形成された記録媒体を排出面に排出する排出口と、本体の排出口側に配設され、作動体を本体に対して回動可能に連結する連結手段と、排出面に排出された記録媒体の積載量を検出する積載量検出手段と、積載量検出手段が検出した記録媒体の積載量が所定値を超えたときに、作動体が第１の位置から第２の位置に向かって回動することを許容する許容手段と、画像形成部により読み取った画像を記録媒体に形成するコピーモードを選択するコピーモード選択手段と、積載量検出手段が検出した記録媒体の積載量が所定値を超えたときに、コピーモード選択手段がコピーモードを選択している際には、作動体が第１の位置から第２の位置に向かって回動することを禁止する変位禁止手段とを有することを特徴とする。
【００１１】
記録媒体に画像を形成する画像形成部を内蔵する本体の一面に、画像形成部で画像を形成された記録媒体が排出されて積層される排出面が設けられ、画像を読み取る画像読取部を備える作動体が、本体に対して、排出面を覆う第１の位置と排出面を開放する第２の位置との間で移動可能に保持される画像形成装置において、本体の背面側に設けられ、画像
形成部で画像を形成された記録媒体を排出面に排出する排出口と、本体の排出口側に配設され、作動体を本体に対して回動可能に連結する連結手段と、排出面に排出された記録媒体の積載量を検出する積載量検出手段と、作動体を第１の位置から第２の位置に回動させる駆動手段と、積載量検出手段が検出した記録媒体の積載量が所定値を超えたときに、駆動手段により作動体を第１の位置から第２の位置に向かって回動させる駆動制御手段と、画像読取部により読み取った画像を記録媒体に形成するコピーモードを選択するコピーモード選択手段と、積載量検出手段が検出した記録媒体の積載量が所定値を超えたときに、コピーモード選択手段がコピーモードを選択している際には、駆動手段の駆動を中止する駆動中止手段とを有することを特徴とする。
【００１３】
請求項１又は請求項２に記載する画像形成装置において、作動体の位置を検出する作動体位置検出手段と、積載量検出手段が検出した記録媒体の積載量が所定値を超え、且つ、作動体位置検出手段が作動体が第２の位置にないことを検出したときに、画像形成部による画像形成を中止する画像形成中止手段を有することを特徴とする。
【発明の効果】
【００１５】
本発明の画像形成装置によれば、排出面に排出された記録媒体の積載量を積載量検出手段により検出しており、積載量検出手段が検出した記録媒体の積載量が所定値を超えると、許容手段が、作動体が第１の位置から第２の位置に向かって移動することを許容する。そのため、記録媒体に画像を形成する途中でも、手動又は自動により作動体を第１の位置から第２の位置に向かって移動させて排出面を開放して排出空間を広げれば、それにより積載容量を増すことができるので、ジャムなどの不具合が生じにくい。従って、本発明の画像形成装置によれば、排出面を回動させるための空間を本体内に設けていないので、本体と作動体との間に形成される排出面上の空間を小さくして装置サイズの小型化を図ることができ、また、ジャムなどの不具合を未然に防止して、良好なスタック性を維持することができる。
【００１６】
なお、本発明における「記録媒体の積載量」とは、画像形成されて排出面に排出された記録媒体のカウント数、排出面に排出され積載された記録媒体の量、排出面に排出された記録媒体の積載位置から推定される記録媒体の数、排出面に排出された記録媒体の最上面位置を含む包括的概念であるとする。
また、本発明における「所定値」とは、排出面に排出された記録媒体が記録媒体を排出面に排出する排出口を塞ぐことがないと仮定して予め設定した記録媒体のカウント数、記録媒体の量、記録媒体の数、記録媒体の最上面位置を含む包括的概念とする。
【００１７】
また、本発明の画像形成装置によれば、画像読取部により読み取った画像を記録媒体に形成するコピーモードをコピーモード選択手段で選択してコピーを行っている間に、積載量検出手段が検出した記録媒体の積載量が所定値を超えたときには、許容手段により作動体が第１の位置から第２の位置へ向かって変位することが許容されたとしても、変位禁止手段により作動体が第１の位置から第２の位置に変位することを禁止するので、例えば、作動体が第２の位置へ回動して、原稿の読み取り作業がやりにくくなるような不具合を未然に回避しでき、コピーの作業性を向上させることができる。
【００１８】
また、本発明の画像形成装置によれば、作動体が駆動手段により第１の位置から第２の位置に自動的に移動されるようになっており、積載量検出手段が排出面に排出された記録媒体の積載量を検出し、その検出された記録媒体の積載量が所定値を超えると、駆動制御手段が駆動手段を駆動して作動体を第１の位置から第２の位置に向かって自動的に変位させる。そのため、記録媒体に画像を形成する途中でも、自動的に排出空間が広がって積載容量が増加し、ジャムなどの不具合が生じにくい。従って、本発明の画像形成装置によれば、排出面を回動させるための空間を本体内に設けていないので、本体と作動体との間に形成される排出面上の空間を小さくして装置サイズの小型化を図ることができ、また、ジャムなどの不具合を未然に防止して、良好なスタック性を維持することができる。
【００１９】
また、本発明の画像形成装置によれば、画像読取部により読み取った画像を記録媒体に形成するコピーモードをコピーモード選択手段で選択してコピーを行っている間に、積載量検出手段が検出した記録媒体の積載量が所定値を超えたときには、駆動中止手段が駆動手段の駆動を中止して、作動体を第１の位置から第２の位置へ向かって変位させないので、例えば、画像読取部で画像を読み取っている最中に作動体が第１の位置から第２の位置へ向かって突然変位し、原稿の読み取り作業がやりにくくなるような不具合を未然に回避でき、コピーの作業性を向上させることができる。
【００２０】
また、本発明の画像形成装置によれば、作動体位置検出手段により作動体の位置を検出しており、積載量検出手段が検出した記録媒体の積載量が所定値を超え、且つ、作動位置検出手段が、作動体が第２の位置にないことを検出したときに、画像形成中止手段により画像形成部が記録媒体に画像を形成することを中止するので、排出面に記録媒体がいっぱいになった後に、無理に記録媒体を排出面に排出することを防止し、良好な画像形成性能を得ることができる。
【００２１】
また、本発明の画像形成装置によれば、記録媒体を排出面に排出する本体２の排出口側に連結手段を配設し、連結手段を介して作動体を本体に対して回動可能に連結するので、排出口側と反対側を広く開放するように作動体を変位させ、排出面から記録媒体を取り出しやすくすることができる。
【発明を実施するための最良の形態】
【００２２】
本発明の画像形成装置に係る実施形態を図面を参照して説明する。
【００２３】
（第１実施形態）
図１は第１実施形態に適用された複合機１の斜視図である。
本実施形態では、画像形成装置として複合機１を適用する。複合機１は本体ケーシング３を有する画像形成ユニット（本体）２の上部側に画像読取ユニット（作動体）１００を配してなり、ファクシミリ機能、スキャナ機能、プリンタ機能、コピー機能を有する。また、詳細には後述するが、この複合機１は胴内排紙型とされ、両ユニット２、１００間に排紙トレイ（排出面）４６が設けられている。複合機１は、画像形成ユニット２と画像読取ユニット１００が後述する許容機構（許容手段）７０により排紙トレイ４６を塞ぐように連結されているが、排紙トレイ４６に排出された用紙の積載量が所定値以上になったときに、許容機構７０を自動解除して画像読取ユニット１００を開方向（図中＋Ｚ方向）へ向かって回動することを許容するように構成されている。
【００２４】
ここで、「用紙の積載量」とは、画像形成されて排紙トレイ４６に排紙された用紙のカウント枚数、排紙トレイ４６に排紙され積載された用紙の量、排紙トレイ４６に排紙された用紙の積載位置から推定される用紙の枚数、排紙トレイ４６に排紙された用紙の最上面位置を含む包括的概念をいうが、本実施形態では、排紙トレイ４６に排紙された用紙の最上面位置を「用紙の積載量」とする。
また、「所定値」とは、排紙トレイ４６に排紙された用紙が用紙を排紙トレイ４６に排出する用紙排出口２４を塞ぐことがないと仮定して予め設定した用紙のカウント枚数、用紙の量、用紙の枚数、用紙の最上面位置を含む包括的概念をいうが、本実施形態では、排紙トレイ４６に排紙された用紙が用紙を排紙トレイ４６に排出する用紙排出口２４を塞ぐことがないと仮定して予め設定した用紙の最上面位置に相当する基準設定位置を「所定値」とする。
【００２５】
尚、以下の説明において、複合機１の奥行き方向をＸ方向（正面側を＋Ｘとする）、幅方向（図１における左手前側を＋Ｙとする）をＹ方向とし、高さ方向をＺ方向（図１における上側を＋Ｚとする）として説明する。
【００２６】
＜画像形成ユニット＞
図２は複合機１の垂直断面図である。
画像形成ユニット２は本体ケーシング３の底側に配置される用紙供給用のフィーダ部４と、その上方に配置される画像形成用の画像形成部５とを有している。
【００２７】
フィーダ部４は、用紙を所定枚数（本実施形態では２５０枚）収容可能な薄いトレイ状をなす給紙カセット６の正面側に送出ローラ１１、給紙ローラ８、ピンチローラ１０、レジストローラ１２を備え、給紙カセット６から用紙を一枚ずつ正面側に引きだした後、本体ケーシング３の背面側に方向転換させて搬送経路（図２の２点鎖線にて表示）に送り出すようになっている。尚、搬送経路は、給紙ローラ８の上端から画像形成位置Ｐ１までの大部分は、複合機１の本体側に形成された用紙ガイド部材５１と、プロセスユニット１７の底面部とにより形成されている。
【００２８】
給紙ローラ８は感光体ドラム２７や、定着ローラ４１等のローラと比べて、直径が大きく設定されている（例えば、感光体ドラム２７の直径２４ｍｍ、定着ローラ４１の直径２５ｍｍに対して、給紙ローラ８の直径は３３ｍｍ）。このように給紙ローラ８の直径を比較的大きく設定し、用紙が湾曲させられる曲率を小さくすれば、例えば、用紙に厚み（はがき等）がある場合であっても給紙ローラ８により用紙を折り曲げることなく良好に搬送することができる。
【００２９】
給紙カセット６は用紙押圧板７を備えている。用紙押圧板７は、給紙カセット６に対して片持ち支持されており、給紙ローラ８に対して近い方の端部が上下方向に揺動可能とされている。この用紙押圧板７は図示しないバネが付設されており、給紙カセット６上に載置された用紙前端の上面が送出ローラ１１に常に接触した状態となるように上向きに付勢されている。
【００３０】
分離パッド９は給紙ローラ８の下部において、バネ１３によって給紙ローラ８に向かって押圧された状態で取り付けられており、複数の用紙が重なった状態で搬送経路内に供給されることを防止するよう機能する。即ち、送出ローラ１１により送られてきた用紙は、給紙ローラ８と分離パッド９とに接触するが、このとき、分離パッド９と用紙との間には、適度な摩擦力が加えられるので、送出ローラ１１により複数の用紙が分離パッドまで送られてきたとしても、最上位に位置する用紙以外の用紙は分離パッド９により係止される。このため、給紙ローラ８からは１枚毎に用紙が供給される。また、符号５０は紙粉取りローラであって、給紙された用紙の紙粉を取り除くためのものである。
【００３１】
レジストローラ１２は１対のローラから構成されており、給紙ローラ８の近傍に配置された位置センサ６４による検知タイミングに基づいて、駆動および停止の動作が図示しない基板内に配置された後述の制御装置（変位禁止手段）２００により制御される。そして、この制御により用紙の斜行が修正される。即ち、後述する制御装置２００は給紙ローラ８による用紙の搬送時において、レジストローラ１２は駆動している状態とし、位置センサ６４が用紙の先端を検知すると、レジストローラ１２を停止させる。そして、用紙がレジストローラ１２に接触し弛んだ状態になった頃に、制御装置２００は再びレジストローラ１２を駆動し、用紙を画像形成部５に送るようにしている。
【００３２】
なお、位置センサ６４は機械式のものであり、用紙と接触して押されると用紙が接触する前の所定の位置から変位するよう構成されている。また、給紙ローラ８のやや上方には、複合機１の手前側からレジストローラ１２の位置に直接用紙を給紙するための手差給紙口１４が形成されており、給紙カセット６に用紙を収納することなく搬送経路に用紙を供給することができる。
【００３３】
画像形成部５はスキャナ部１６、プロセスユニット１７、定着器１８とを有している。
【００３４】
スキャナ部１６は、本体ケーシング３内において後述するプロセスユニット１７の上部に設けられ、レーザ発光部（図示省略）、ポリゴンモータ２５により回転駆動されるポリゴンミラー１９、レンズ２０および２１、反射鏡２２および２３などを備えており、レーザ発光部から発光されるレーザビームをポリゴンミラー１９、レンズ２０、反射鏡２２、レンズ２１、反射鏡２３の順に通過あるいは反射させて、図２における一点鎖線で示す経路を経てプロセスユニット１７における感光体ドラム２７の表面上に高速走査にて照射させている。
【００３５】
プロセスユニット１７はドラムカートリッジ２６と現像カートリッジ２８とを有しており、本体ケーシング３に対して複合機１の正面側（＋Ｘ側）からの操作により脱着可能に装着されている。以下、より具体的に説明する。
【００３６】
図３はプロセスユニット１７を取り外した状態を表す複合機１の断面図である。
本体ケーシング３には、スキャナ部１６と給紙カセット６との間に位置してプロセスユニット１７を収容する収容部８４が形成されている。そして、本体ケーシング３における正面側（＋Ｘ側）には収容部８４と連通する開口部８４ａが形成されるとともに、その開口縁の下部にはヒンジ（図示せず）を介して前面カバー４９が取り付けられている。この前面カバー４９は前記ヒンジを中心として開口部８４ａを開放する姿勢（図３に示す姿勢）と、開口部８４ａを閉じる姿勢（図２に示す姿勢）との間で回動可能とされている。そのため、前面カバー４９を水平姿勢にセットしておけば、その状態から開口部８４ａを通じてプロセスユニット１７を収容部８４内に出入りさせることが出来るようになっている。
【００３７】
図２に示すように、プロセスユニット１７のうち、ドラムカートリッジ２６は感光体ドラム２７、スコロトロン型帯電器２９、転写ローラ３０を備えている。一方、現像カートリッジ２８は現像ローラ３１およびトナーボックス３４などを備えてなるとともに、ドラムカートリッジ２６に対して着脱自在に装着されている。
【００３８】
トナーボックス３４内には、トナー（現像剤）が充填されている。そして、トナーボックス３４内のトナーは、トナーボックス３４の中心に設けられる回転軸３５に支持されるアジテータ３６の矢印方向（時計方向）への回転により、攪拌されて、トナーボックス３４に設けられたトナー供給口３７から放出される。
【００３９】
トナー供給口３７の側方位置（背面側の位置）には、トナー供給ローラ３３が反時計方向に回転可能に配設されており、また、このトナー供給ローラ３３に対向して現像ローラ３１が反時計方向に回転可能に配設されている。そして、これらトナー供給ローラ３３と現像ローラ３１とはそれぞれがある程度圧縮するような状態で互いに当接されている。
【００４０】
また、現像ローラ３１の近傍には、層厚規制ブレード３２が配設されている。この層厚規制ブレード３２は、金属の板バネ材からなるブレード本体の先端部に、絶縁性のシリコーンゴムからなる断面半円形状の押圧部４０を備えており、現像ローラ３１の近くにおいて現像カートリッジ２８に支持されて、押圧部４０がブレード本体の弾性力によって現像ローラ３１上に圧接されるように構成されている。
【００４１】
そして、トナー供給口３７から放出されるトナーは、トナー供給ローラ３３の回転により、現像ローラ３１に供給され、この時、トナー供給ローラ３３と現像ローラ３１との間で正に摩擦帯電され、さらに、現像ローラ３１上に供給されたトナーは、現像ローラ３１の回転に伴って、層厚規制ブレード３２の押圧部４０と現像ローラ３１との間に進入し、ここでさらに十分に摩擦帯電されて、一定厚さの薄層として現像ローラ３１上に担持される。
【００４２】
感光体ドラム２７は、現像ローラ３１の側方位置において、その現像ローラ３１と対向するような状態で時計方向に回転可能に配設されている。この感光体ドラム２７は、ドラム本体が接地されるとともに、その表面部分が、ポリカーボネートなどから構成される正帯電性の感光層により形成されている。なお、この感光体ドラム２７は、図示しないメインモータからの動力によって回転駆動されるように構成されている。
【００４３】
スコロトロン型帯電器２９は、感光体ドラム２７に接触しないように、所定の間隔を隔てて配設されている。このスコロトロン型帯電器２９は、感光体ドラム２７の半径方向において、水平方向から約３０度上方に配置されている。また、このスコロトロン型帯電器２９は、このタングステンなどの帯電用ワイヤからコロナ放電を発生させる正帯電用のスコロトロン型の帯電器であり、感光体ドラム２７の表面を一様に正極性に帯電させるように構成されている。
【００４４】
そして、感光体ドラム２７の表面は、その感光体ドラム２７の回転に伴って、まず、スコロトロン型帯電器２９により一様に正帯電された後、スキャナ部１６からのレーザビームの高速走査により露光され、所定の画像データに基づく静電潜像が形成される。
【００４５】
次いで、現像ローラ３１の回転により、現像ローラ３１上に担持されかつ正帯電されているトナーが、感光体ドラム２７に対向して接触する時に、感光体ドラム２７の表面上に形成される静電潜像、即ち、一様に正帯電されている感光体ドラム２７の表面のうち、レーザビームによって露光され電位が下がっている露光部分に供給され、選択的に担持されることによって可視像化され、これによって反転現像が達成される。
【００４６】
転写ローラ３０は、感光体ドラム２７の下方において、この感光体ドラム２７に対向するように配置され、ドラムカートリッジ２６に反時計方向に回転可能に支持されている。この転写ローラ３０は、金属製のローラ軸に、イオン導電性のゴム材料からなるローラが被覆されており、転写時には、転写バイアス（転写順バイアス）が印加されるように構成されている。そのため、感光体ドラム２７の表面上に担持された可視像は、用紙が感光体ドラム２７と転写ローラ３０との間（画像形成位置Ｐ１）を通る間に用紙に転写される。
【００４７】
そして、プロセスユニット１７よりも用紙搬送方向下流側（奥側）には、定着ローラ４１および押圧ローラ４２とを備えた定着器１８が設けられている。定着ローラ４１は表面がフッ素樹脂によってコーティングされた金属管と、その金属管内に加熱のためのハロゲンランプとを備え、図示しないモータからの動力の入力により回転駆動される。
【００４８】
押圧ローラ４２は、定着ローラ４１の下方において、定着ローラ４１を押圧するように対向配置されている。この押圧ローラ４２は金属製のローラ軸を、ゴム材料からなるローラで被覆することにより構成されており、定着ローラ４１の回転駆動に従って従動される。
【００４９】
定着器１８では、転写位置において用紙上に転写されたトナーを、用紙が定着ローラ４１と押圧ローラ４２との間を通過する間に熱定着させる。トナーが定着した用紙は、本体ケーシング３の上面に向かって上下方向に延びた排紙パス（用紙ガイド部材５２、５３により形成される）に搬送される。排紙パスに搬送された用紙は、その上側に設けられる排紙ローラ４５によって、再び方向転換されて用紙排出口（排出口）２４より、本体ケーシング３の上面壁４３の中央部分に凹設された排紙トレイ４６上に排紙される（図２参照）。
【００５０】
この排紙トレイ４６は背面側から正面側に（−Ｘ側から＋Ｘ側に）むかってなだらかに湾曲しつつトレイの前端部分がやや下降する形状をなし、次に述べる画像読取ユニット１００の下面壁１０５との間に用紙取り出し口８２を形成している。これにより、例えば、Ａ４サイズの用紙に画像を形成したときには、画像形成後の用紙は排紙トレイ４６上に用紙取り出し口８２からその先端部分を突出させた態様で排紙される。これによりオペレータは、画像読取ユニット１００を開方向へ回動させずに、用紙取り出し口８２より、画像形成後の用紙を容易に取り出すことが出来る。
【００５１】
ここで、用紙は、定着器１８内を搬送される際に熱を加えられて定着ローラ４１の外形に合わせて巻癖をつけられ、排紙トレイ４６に排紙されたときにカールされた状態になっている。排紙トレイ４６は、湾曲し、用紙排出口２４から排出された用紙との間に隙間ができにくくされており、より多くの用紙を排紙トレイ４６上に積層できるように工夫されている。また、排紙トレイ４６の図中背面側（用紙排出口２４側）の上部空間は、中央部分（ポリゴンモータ２５上方部分）の上部空間より高さ方向（図中Ｚ軸方向）に広くされ、排紙トレイ４６に排出された用紙の端部が用紙排出口２４を塞ぎにくくしている。
【００５２】
また、排紙トレイ４６に排出された用紙は、後で説明する画像読取ユニット１００に揺動自在に保持される押圧レバー１３６によって下向き（図中−Ｚ方向）に押し付けられ、用紙端部が浮き上がって用紙排紙口２４を塞がないようにしている。また、押圧レバー１３６の揺動位置を検出して排紙トレイ４６に排紙された用紙の最上面位置を検出する揺動位置検出センサ（積載量検出手段）１３７が設けられている。
【００５３】
＜画像読取ユニット＞
画像読取ユニット１００はフラットベット式であって、前記排紙トレイ４６の上面を被覆可能な上部ケーシング１０１を備えてなる。この上部ケーシング１０１は上方に開放する箱型をなすとともに、内部にイメージセンサ（画像読取部）１１５を収容させた状態で上面が原稿を載置するためのプラテンガラス１０７によって塞がれている。イメージセンサ１１５は図２におけるＸ軸方向に延設されたライン型のセンサであって、ガイド軸１１７に支持され、同ガイド軸１１７に沿って紙面と直交する方向（Ｙ軸方向に）に進退可能とされている。
【００５４】
このイメージセンサ１１５には延設方向に複数のフォトダイオード（図示略）が列設されており、図示しない光源より原稿に強い光を当てたときの反射光を個々のフォトダイオードで受光して、各画素毎に反射光の光強度（明度）を電気信号に変換するように構成されている。画像読取ユニット１００では、これを図示しないＡ／Ｄ変換器にてデジタルデータ化することで、原稿上に形成された画像を画像データとして読み取ることができる。また、上部ケーシング１０１の下面壁１０５の後端（背面側の端）寄りの位置には除電ブラシ１３５が設けられている。徐電ブラシ１３５はホルダ部１３５ｂと、このホルダ部１３５ｂに保持されるブラシ部１３５ａによって構成されており、用紙の排出時にブラシ部１３５ａが用紙の全幅に亘って近接又は当接するように構成されている。除電ブラシ１３５の正面側には、押圧レバー１３６が配設されている。押圧レバー１３６は、図示しないバネにより図中反時計方向へ付勢され、用紙を図中下方向（図中−Ｚ方向）へ押圧するものであり、用紙全幅方向に所定間隔を空けて複数箇所に設けられている。
【００５５】
一方、図１に示すように画像読取ユニット１００の上面には、正面側（＋Ｘ側）に操作用のタッチパネル（コピーモード選択手段）１２５、排紙トレイ４６から用紙を取り出す必要性を警告する警告灯１２６などを備えた操作パネル１２１が配されるとともに、これと並んでＡＤＦ機構１４５を備えた原稿カバー１４０が配置されている。
【００５６】
図４は原稿カバー１４０が開いた状態の複合機１を示す斜視図である。
原稿カバー１４０はプラテンガラス１０７の上面を被覆可能な大きさに形成されるとともに、上部ケーシング１０１における上面の背面寄りの位置に設けられる第二のヒンジ軸Ｊ２を介して同上部ケーシング１０１に回動可能に連結されている。
【００５７】
これにより、原稿カバー１４０は常にはプラテンガラス１０７の上方を覆った姿勢にあるが、原稿をセットする際には、正面側（＋Ｘ側）からの操作により原稿カバー１４０を第二のヒンジ軸Ｊ２を中心に回動させることでプラテンガラス１０７を露出させることが出来るようになっている。尚、ＡＤＦ機構１４５について詳細な説明は割愛するが、上述のイメージセンサ１１５を移動させずに、原稿供給トレイ１４７から１枚づつ原稿を取り込んでイメージセンサ１１５の上方を通過させ、そこで原稿から画像を読み取るものである。
【００５８】
＜両ユニットの連結構造＞
図５は画像読取ユニット１００が開位置にある状態の複合機１を示す斜視図であり、図６は複合機１を背面側から見た斜視図である。
上述した画像読取ユニット１００は図６に示すように複合機１の背面壁１ａにおける左右両端部に設けられるヒンジ軸（以下、第一のヒンジ軸Ｊ１とする）（連結手段）Ｊ１によって、前記画像形成ユニット２に対し連結されている。
【００５９】
図５に示すように、画像形成ユニット２と画像読取ユニット１００との間には、一対のガイド部材１４１，１４１が設けられ、画像読取ユニット１００が閉位置（第１の位置）と開位置（第２の位置）との間で安定して回動できるようにしている。ガイド部材１４１は、棒状をなし、上端部が画像読取ユニット１００の下面に揺動可能に軸支され、下端部にガイドピン１４２が画像読取ユニット１００の中央に向かって突設されている。本体ケーシング３の凸縁部４３Ａには、レール部材１４３が固定され、ガイドピン１４２を摺動可能に嵌め合わされるレール溝１４４が、レール部材１４３に形成されている。レール溝１４４は、複合機１の奥行き方向（図１のＸ軸方向）に長く形成され、さらに、画像読取ユニット１００と画像形成ユニット２との間でガイド部材１４１を円滑に揺動させるために、高さ方向に蛇行している。そのため、画像読取ユニット１００を閉位置に移動させたときには、ガイド部材１４１のガイドピン１４２がレール溝１４４内を正面方向（図１の＋Ｘ方向）に移動してガイド部材１４１を横向きの姿勢とし、排紙トレイ４６を覆うように画像読取ユニット１００を画像形成ユニット２を当接させる一方、画像読取ユニット１００を開位置に移動させたときには、ガイド部材１４１のガイドピン１４２がレール溝１４４内を背面方向（図１の−Ｘ軸方向）に移動してガイド部材１４１を起立した姿勢とし、画像読取ユニット１００がガイド部材１４１により開位置で支えられる。
【００６０】
＜許容機構＞
図７は、画像読取ユニット１００が開位置にある複合機１の側面図である。
許容機構（許容手段）７０は、排紙トレイ４６の用紙取り出し口８２近傍に設けられ、画像読取ユニット１００が閉位置から開位置へ変位することを許容するものである。許容機構７０は、通常時には、印刷動作時の振動で画像読取ユニット１００が画像形成ユニット２に対して位置ずれし、第一のヒンジ軸Ｊ１に負荷がかからないように、画像読取ユニット１００を画像形成ユニット２に係合させて回動を制限している。
【００６１】
図８は、許容機構７０の概略図である。図９は、図８の左側から見た許容機構７０の概略図である。
許容機構７０は、係合部材７１にフック７３を係合又は解除するよう構成されている。係合部材７１は、剛性を確保するために金属をコの字状に成形したものである。係合部材７１は、係止ピン７１ａを画像読取ユニット１００の幅方向（図１のＹ軸方向）に架設するように、開口部を画像読取ユニット１００側に向けた状態で上部ケーシング１０１に固定されている。
【００６２】
画像形成ユニット２の本体ケーシング３の凸縁部４３Ａには、画像読取ユニット１００を図８及び図９に示すように閉位置に移動させたときに、係合部材７１が挿入される凹部７２が、形成されている。凹部７２には、揺動ピン７４が水平に架け渡され、フック７３が揺動ピン７４に揺動自在に保持されている。フック７３は、剛性を確保するために、金属板をプレスなどで打ち抜いて形成したものであり、図８に示すように先端部７３ａが側方に突き出して、係合部材７１の係止ピン７１ａに引っ掛けられるようにされている。フック７３の上端部７３ｂには、Ｒが設けられ、上端部７３ｂに図中下向きの力が作用したときに、フック７３が図中反時計方向へ回転するようになっている。
【００６３】
フック７３の後端部には、ソレノイド７５の駆動軸７６が連結されている。ソレノイド７５は、往復直線運動可能に駆動軸７６を保持し、その駆動軸７６をフック７３に対して直交させるように本体ケーシング３内に配置される。フック７３とソレノイド７５との間には、圧縮バネ７７が縮設され、圧縮バネ７７の弾圧力をフック７３の下端部に常時作用させ、フック７３に図中時計回りの回転力を付与している。
【００６４】
そのため、許容機構７０は、ソレノイド７５に非通電のときには、圧縮バネ７７が拡張してフック７３に図中時計回りを力を付与し、図８の実線に示すように、フック７３の先端部７３ａが係合部材７１の係止ピン７１ａに引っ掛けられて、画像読取ユニット１００を閉位置で保持する。これに対して、許容機構７０は、ソレノイド７５に通電すると、駆動軸７６が圧縮バネ７７に抗して図中右方向へ移動し、図８の点線に示すように、フック７３が図中反時計方向へ回転し、先端部７３ａが係合部材７１の係止ピン７１ａから外れ、画像読取ユニット１００が図２に示す閉位置から図７に示すように排紙トレイ４６を開放する位置へ回動することを許容する。
【００６５】
＜リミットスイッチ＞
ところで、図７に示すように、画像形成ユニット２の凸縁部４３Ａには、リミットスイッチ（作動体位置検出手段）２１２が固定されている。リミットスイッチ２１２は、画像読取ユニット１００の確実な閉位置を検出するため、本体ケーシング３の第一のヒンジ軸Ｊ１と反対側（図中＋Ｘ側）に固定されている。リミットスイッチ２１２は、画像読取ユニット１００が、画像形成ユニット２の上面に下面を当接させる閉位置にあるときに、オン状態にされ、画像形成ユニット２の上面から下面を離間させた開位置にあるときに、オフ状態にされる。
【００６６】
＜複合機の制御構成＞
図１０は、図１に示す複合機１の制御ブロック図である。
制御装置２００は、複合機１に内蔵され、用紙をフィーダ部４から画像形成部５へ給紙する給紙タイミング、画像形成部５で画像を形成する画像形成タイミング、画像読取ユニット１００の開動作を許容するタイミングなど複合機１の動作を制御する。制御装置２００には、接続ケーブルＬＡＮを介して複数のパーソナルコンピュータ（以下「ＰＣ」と略記する。）１６０Ａ，１６０Ｂ，１６０Ｃ…が接続され、複合機１をプリンタとして共用できるようにしている。なお、本実施形態では、複数のＰＣ１６０Ａ，１６０Ｂ，１６０Ｃ…を接続ケーブルＬＡＮを介して複合機１に接続したが、１台のＰＣを専用ケーブルで複合機１に接続してもよいし、場合によっては、ＰＣを複合機１に接続しなくてもよい。また、複合機１には、公衆電話回線網が接続し、ファクシミリデータを送受信できるようになっている。
【００６７】
制御装置２００は、中央処理装置（以下「ＣＰＵ」と略記する。）２０１を中心に構成されている。ＣＰＵ２０１には、入出力インターフェース２０２、ＲＯＭ２０３、ＲＡＭ２０４、ハードディスクドライブ（以下「ＨＤＤ」と略記する。）２０５などが接続している。
【００６８】
ＣＰＵ２０１は、データの処理又は演算を行い、複合機１の動作を司るものである。ＣＰＵ２０１は、例えば、入出力インターフェース２０２から入力したデータをＨＤＤ２０５に書込み、ＲＯＭ２０３やＨＤＤ２０５に格納されているプログラムをＲＡＭ２０４にコピーして実行することによりＨＤＤ２０５に書き込んだデータを処理又は演算し、複合機１を構成する機器を制御するための命令を作成して出力する。
【００６９】
入出力インターフェース２０２は、制御装置２００の外部に設けられた機器とデータをやり取りするものである。本実施形態では、入出力インターフェース２０２にフィーダ部４、画像形成部５、イメージセンサ１１５、タッチパネル１２５、警告灯１２６などが接続して信号を入出力する。また、入出力インターフェース２０２には、揺動位置検出センサ１３７が接続し、排紙トレイ４６に排紙された用紙の最上面位置に係る検出結果を入力している。また、入出力インターフェース２０２には、ソレノイド７５が接続し、ソレノイド７５への通電／非通電を制御している。さらに、入出力インターフェース２０２には、リミットスイッチ２１２が接続し、リミットスイッチ２１２のオン／オフ状態を入力している。
【００７０】
ＲＯＭ２０３は、各種プログラムやデータを記憶する不揮発性メモリである。
ＲＡＭ２０４は、各種プログラムやデータを記憶する揮発性メモリである。
ＨＤＤ２０５は、各種プログラムやデータを記憶して読み書きできる不揮発性メモリである。ＨＤＤ２０５には、例えば、印刷処理プログラム２０６と基準設定位置メモリ２０７が記憶されている。
【００７１】
印刷処理プログラム２０６は、揺動位置検出センサ１３７の検出結果に基づいて画像読取ユニット１００が閉位置から開位置に向かって移動することを許容しながら印刷を行うものである。
基準設定位置メモリ２０７は、排紙トレイ４６に排紙した用紙が用紙排出口２４を塞がないように排紙トレイ４６に積層可能な用紙の積載量（所定値）として設定される基準設定位置を記憶するものである。基準設定位置は、複合機１に初期設定されているが、ユーザがタッチパネル１２５などにより適宜変更することも可能である。本実施形態では、カールされていない用紙を排紙トレイ４６に５０枚積層した場合の用紙の最上面位置を基準設定位置（所定値）として基準設定位置メモリ２０７に記憶させている。なお、用紙の厚さやコシなどによって積層可能な枚数が異なるため、用紙の種別と基準設定位置との関係をテーブルとして基準設定位置メモリ２０７に記憶させてもよい。
【００７２】
＜画像読取ユニットの印刷処理＞
図１１は、図１に示す複合機１による印刷処理を示すフロー図である。
複合機１は、ファクシミリ機能、コピー機能、プリンタ機能を有するが、ここでは、ＰＣ１６０Ａから印刷データを受信して印刷するプリンタ機能を例に挙げて説明する。
複合機１は、ＰＣ１６０Ａから印刷指令を受信したときをトリガとして、ＨＤＤ２０５から印刷処理プログラム２０６を読み出して実行し、下記の処理を行う。
【００７３】
先ず、ステップ１（以下「Ｓ１」と略記する。）において、揺動位置検出センサ１３７がフルか否かを判断する。即ち、揺動位置検出センサ１３７は、押圧レバー１３６の揺動位置に基づいて排紙トレイ４６に排紙された用紙の最上面位置を常時検出している。ＣＰＵ２０１は、揺動位置検出センサ１３７から最上面位置を入力し、入力した最上面位置を、ＨＤＤ２０５の基準設定位置メモリ２０７に記憶されている基準設定位置と比較し、用紙の最上面位置が基準設定位置を超えているか否かを判断する。
【００７４】
例えば、印刷開始時点で排紙トレイ４６に用紙がなければ、排紙トレイ４６に用紙を排紙しても、その用紙は基準設定位置より低い位置に積載される。この場合、揺動位置検出センサ１３７が検出する用紙の最上面位置が基準設定位置を超えないため、揺動位置検出センサ１３７がフルでないと判断し（Ｓ１：ＮＯ）、Ｓ２へ進む。そして、Ｓ２において、印刷が終了したか否かを判断する。印刷が終了しない場合には（Ｓ２：ＮＯ）、Ｓ３において、印刷を継続し、Ｓ１へ戻る。排紙トレイ４６に排出された用紙の最上面位置が基準設定位置より低く、そのまま印刷を継続しても、ジャムなどの不具合を生じないためである。一方、印刷が終了した場合には（Ｓ２：ＹＥＳ）、そのまま印刷を終了する。
【００７５】
その後印刷を続けると、例えば、排紙トレイ４６に用紙を５０枚以上排紙して用紙が基準設定位置を超えたり、排紙トレイ４６に用紙を５０枚排出していなくても、用紙がカールされた状態で排紙トレイ４６に排紙され基準設定位置を超えて浮き上がることがある。このような場合に、排紙トレイ４６上の排出空間を広げずに、また、用紙を排紙トレイ４６から取り除かずに印刷を継続すると、排紙トレイ４６に排出された用紙の最上面位置と、画像読取ユニット１００の上部ケーシング１０１の下面壁１０５との間の空間がなくなり、後に用紙排出口２４から排紙トレイ４６に排出される用紙の先端が先に排紙トレイ４６に排出された用紙の後端に突き当たって、先に排紙された用紙を用紙取り出し口８２から装置外部に落としたり、後に印刷される用紙が用紙排出口２４から排紙トレイ４６に排紙されずにジャムを生じる恐れがある。
【００７６】
そのため、揺動位置検出センサ１３７が検出した用紙の最上面位置が基準設定位置を超え、揺動位置検出センサ１３７がフルであると判断したときには（Ｓ１：ＹＥＳ）、Ｓ４に進み、画像読取ユニット１００が開位置にあるか否かを判断する。尚このとき、警告灯１２６が点灯され、用紙が排紙トレイ４６にいっぱいになったことをユーザに警告し、排紙トレイ４６から用紙を取り出すことをユーザに促す。
【００７７】
リミットスイッチ２１２がオン状態である場合には、画像読取ユニット１００が開位置にないと判断し（Ｓ４：ＮＯ）、Ｓ７において、画像形成部５の動作を中止して印刷を停止する。排紙トレイ４６に排紙された用紙の最上面位置が基準設定位置を超え、用紙排出口２４が排紙トレイ４６の用紙で塞がれている可能性があるにもかかわらず印刷を続けると、ジャム等の不具合を生じる可能性が高くなるからである。このとき、許容機構７０は、ソレノイド７５に電流を供給されて圧縮バネ７７に抗してフック７３を回動させ、第１のヒンジ軸Ｊ１を基点にして画像読取ユニット１０２の上部ケーシング１０１を画像形成ユニット２の本体ケーシング２に対して回動させることを許容する。
【００７８】
その後、Ｓ１に戻り、揺動位置検出センサ１３７がフルか否かを判断する。排紙トレイ４６から用紙を取り除くまでは、揺動位置検出センサ１３７が検出する用紙の最上面位置が基準設定位置を超えるので、揺動位置検出センサ１３７がフルであると判断し（Ｓ１ＹＥＳ）、Ｓ４において、画像読取ユニット１００が開位置にあるか否かを判断する。この時点でも、画像読取ユニット１００が開位置になければ（Ｓ４：ＮＯ）、上述したようにＳ７の処理を行い、Ｓ１に戻る。つまり、ユーザが画像読取ユニット１００を開くか、或いは、排紙トレイ４６の用紙を取り除くまで、印刷中止状態で待機する。
【００７９】
一方、揺動位置検出センサ１３７がフルの状態で（Ｓ１：ＹＥＳ）、ユーザが画像読取ユニット１００を手動で開方向へ回動させると、リミットスイッチ２１２がオン状態からオフ状態に切り替えられるため、画像読取ユニット１００が開位置であると判断し（Ｓ４：ＹＥＳ）、Ｓ５に進む。そして、Ｓ５において、印刷が終了したか否かを判断する。印刷が終了したのであれば（Ｓ５：ＹＥＳ）、印刷処理を終了する。
【００８０】
一方、印刷が終了していないのであれば（Ｓ５：ＮＯ）、Ｓ６において、引き続き印刷を継続してＳ４に戻る。画像読取ユニット１００が開位置に向かって回動したことにより、排紙トレイ４６上の排出空間が広くなり、印刷を継続して用紙排紙口２４から用紙を排紙しても、その用紙が上部ケーシング１０１の下面壁１０５にぶつかってジャム等を生じる恐れがないからである。
なお、画像読取ユニット１００が開位置で、排紙トレイ４６から用紙を取り除くことなく印字を継続していると、再び用紙排出口２４や排紙トレイ４６が用紙により塞がれる恐れがあるが、この場合、画像読取ユニット１００が開位置での印字枚数をカウントし、所定枚数印字したら印字を中断するように構成すれば、ジャム等の不具合を回避できる。
また、別の方法として、画像読取ユニット１００を開位置にした後にも押圧レバー１３６を用いて排紙トレイ４６上に排紙された用紙の最上面位置を検出するように構成しても差し支えない。この場合における最上面位置は、画像読取ユニット１００が開位置の場合の最上面位置となる。即ち、画像読取ユニット１００を開位置に向かって回動させると、押圧レバー１３６が上部ケーシング１０１と一緒に上方へ移動し、排紙トレイ４６上の用紙と接触しなくなって原位置に復帰する。つまり、揺動位置検出センサ１３７は、フルでないと判断するようになる。その後、画像読取ユニット１００が開位置で、排紙トレイ４６から用紙を取り除くことなく印字を継続していると、再び排紙トレイ４６に排出された用紙の最上面が最上面位置に達するが、この場合には、押圧レバー１３６が用紙によって揺動して揺動位置検出センサ１３７がフルを検出するように構成すればよい。そして、揺動位置検出センサ１３７がフルを検出した場合には、印字を中断し、また、用紙が取り除かれて揺動位置検出センサ１３７がフルを検出しなくなった場合には、印字を再開するように構成するればよい。
【００８１】
ユーザが画像読取ユニット１００を開位置から閉位置に回動させ、係合部材７１の係止ピン７１ａをフック７３の上端部７３ｂに突き当ててフック７３に下方への力を加えると、フック７３が図１２の図中反時計回りに回転し、係合ピン７１ａの軌道上から先端部７３ａを退避させる。係合部材７１の係合ピン７１ａが、フック７３の上端部７３ｂに当接しなくなると、フック７３は、下向きの力を解除され、圧縮バネ７７の弾圧力で図１２の図中時計回りに回転し、先端部７３ａを係合ピン７１ａに引っ掛ける。これにより、画像読取ユニット１００が、画像形成ユニット２から分離して回動できなくなり、閉位置で保持される。このとき、リミットスイッチ２１２がオフ状態からオン状態に切り替えられる。この時点で、画像読取ユニット１００が開位置でないと判断し（Ｓ４：ＮＯ）、Ｓ７において、印刷を停止して、Ｓ１に戻る。
【００８２】
このとき、ユーザが排紙トレイ４６の用紙を取り除かずに画像読取ユニット１００を閉位置に保持させた場合には、押圧レバー１３６が排紙トレイ４６の用紙を下方に押し付けるために揺動する。この場合、排紙トレイ４６に排紙された用紙の最上面位置が基準設定位置を超えるので、積層位置検出センサ１３７がフルであると判断し（Ｓ１：ＹＥＳ）、上述したＳ４以降の処理を繰り返す。これにより、排紙トレイ４６が用紙でいっぱいのままで用紙に印刷するのを防止できる。
【００８３】
これに対して、ユーザが排紙トレイ４６の用紙を取り除いて画像読取ユニット１００を閉位置に保持させた場合には、排紙トレイ４６に用紙が残っておらず、押圧レバー１３６が用紙を押し付けない状態の原位置にあるため、積層位置検出センサ１３７がフルでないと判断し（Ｓ１：ＮＯ）、Ｓ２において、印刷が終了したか否かを判断する。印刷が終了していれば（Ｓ２：ＹＥＳ）、そのまま印刷処理を終了する。
【００８４】
一方、印刷が終了していなければ（Ｓ２：ＮＯ）、ユーザによって排紙トレイ４６の用紙が取り除かれ、ジャムなどの発生を阻止しうる程度の十分な空間が排紙トレイ４６上に確保されているので、Ｓ３において、画像形成部５による印刷を再開し、印刷を継続する。これにより、印刷データが、ダブりや漏れなく用紙に印刷される。
なお、警告灯１２６は、揺動位置検出センサ１３７が検出する用紙の最上面位置が基準設定位置を超えなくなった時点で消灯され、複合機１が印刷可能状態になったことをユーザに知らせる。
【００８５】
ここで、本実施形態の複合機１は、複数のＰＣ１６０Ａ，１６０Ｂ，１６０Ｃ…に共有されるため、例えば、ＰＣ１６０Ａ，１６０Ｂ，１６０Ｃの順に用紙３０枚分の印字データをそれぞれ複合機１に送信した場合、各ＰＣ１６０Ａ，１６０Ｂ，１６０Ｃのユーザが複合機１に印刷済みの用紙を取りに来る前に、排紙トレイ４６に排紙した用紙の最上面位置が基準設定位置を超える。この場合、複合機１は、ＰＣ１６０Ａ，１６０Ｂ，１６０Ｃから受信した全ての印刷データを印刷していないが、制御装置２００に残っている印刷データの有無により印刷が終了したか否かを判断することにより、ユーザが印刷データを入力し直さなくても、図１１のＳ７において印刷停止した直後の印刷データから印刷を継続することができる。
また、上記説明では、印刷データを印刷する場合を例に挙げて説明したが、ファクシミリデータやコピー用画像データを印刷する場合でも、同様である。
【００８６】
＜複合機の作用効果＞
従って、本実施形態の複合機１によれば、揺動位置検出センサ１３７が検出する用紙の最上面位置が基準設定位置を超えるまでは、許容機構７０のフック７３が係合部材７１に係合して、画像読取ユニット１００が閉位置から開位置へ回動することを制限した状態で印刷を行うが（図１１のＳ１：ＮＯ、Ｓ２、Ｓ３参照）、揺動位置検出センサ１３７が検出した用紙の最上面位置が基準設定位置を超えると、許容機構７０のソレノイド７５に通電してフック７３を係合部材７１から外し、画像読取ユニット１００が閉位置から開位置に向かって回動することを許容する。そのため、印刷の途中でも、ユーザが画像読取ユニット１００を開方向へ向かって持ち上げて回動させ、排紙トレイ４６を開放して排出空間を広げれば（図１１のＳ１：ＹＥＳ、Ｓ４：ＹＥＳ参照）、それにより積載容量を増すことができるので、ジャムなどの不具合が生じにくい。従って、本実施形態の複合機１によれば、排紙トレイ４６を回動させるための空間を画像形成ユニット２内に設けていないので、画像形成ユニット２と画像読取ユニット１００との間に形成される排紙トレイ４６上の空間を小さくして装置サイズの小型化を図ることができ、また、ジャムなどの不具合を未然に防止して、良好なスタック性を維持することができる。
【００８７】
また、本実施形態の複合機１によれば、リミットスイッチ２１２により画像読取ユニット１００の位置を検出しており、揺動位置検出センサ１３７が検出した用紙の最上面位置が基準設定位置を超え、且つ、リミットスイッチ２１２が、オン状態にされ、画像読取ユニット１００が開位置にあることを検出しないときに、画像形成部５を停止させて用紙に画像を形成することを中止するので（図１１のＳ１：ＹＥＳ、Ｓ４：ＮＯ、Ｓ７参照）、排紙トレイ４６に用紙がいっぱいになった後に、無理に用紙を用紙排出口２４から排紙トレイ４６に排紙することを防止し、良好な印字性能を得ることができる。即ち、同じ印字データをダブって印刷したり、用紙が詰まって印刷データの画像形成位置がずれるなどの不具合を生じない。
【００８８】
さらに、本実施形態の複合機１によれば、用紙を排紙トレイ４６に排出する画像形成ユニット２の用紙排出口２４側に第一のヒンジ軸Ｊ１を配設し、第一のヒンジ軸Ｊ１を介して画像読取ユニット１００を画像形成ユニット２に対して回動可能に連結するので、用紙排出口２４側と反対側を広く開放するように画像読取ユニット１００を変位させ、排紙トレイ４６に排出された用紙を取り出しやすい。
【００８９】
（第２実施形態）
続いて、本発明に係る画像形成装置の第２実施形態について図面を参照して説明する。
第２実施形態の画像形成装置も、第１実施形態と同様に複合機に適用される。第２実施形態の複合機１Ａは、駆動モータ（駆動制御手段）２１１によって保持機構（駆動手段）１５０を作動させ、画像読取ユニット１００を自動開閉しており、許容機構７０を備えない点で、第１実施形態の複合機１と相違する。よって、ここでは、第１実施形態と相違する点を中心に説明し、第１実施形態と共通する点については図面に同一符号を付して説明を適宜省略する。
【００９０】
図１２は、第２実施形態に係る複合機１Ａの側面図であり、画像読取ユニット１００が開位置にある状態を示す。
本実施形態の複合機１Ａは、画像読取ユニット１００が画像形成ユニット２に第一のヒンジ軸（連結手段）Ｊ１を介して回動可能に連結されている。画像読取ユニット１００は、保持機構１５０によって閉位置と開位置との間を移動可能に保持される。
【００９１】
保持機構１５０は、画像形成ユニット１００の上面に固定された取付ブラケット１５５を備え、ヒンジピン１５７が取付ブラケット１５５に回転可能に保持されている。ヒンジピン１５７の取付ブラケット１５５から外部に突き出した部分には、連結リンク１６１の一端が固定され、連結リンク１６１がヒンジピン１５７と一体的に回動するようにされている。連結リンク１６１には、後述する突起部１９２が摺動可能に嵌め合わされる案内溝１７０が環状に形成されている。一方、画像読取ユニット１００の下面には、受け部材１９１が下向きに突き出すように固定されている。受け部材１９１には、突起部１９２が画像読取ユニット１００の中央に向かって突き出し、連結リンク１６１の案内溝１７０に嵌め合わされている。
【００９２】
このように、保持機構１５０は、連結リンク１６１が画像形成ユニット２と画像読取ユニット１００との間に介在し、連結リンク１６１が横向きの姿勢から起立した姿勢に回転するときには、画像読取ユニット１００が第１ヒンジ軸Ｊ１を基準にして閉位置から開位置に向かって回動し、連結リンク１６１が起立した姿勢から横向きの姿勢に回転するときには、画像読取ユニット１００が第１ヒンジ軸Ｊ１を基準にして開位置から閉位置に向かって回動する。連結リンク１６１は、取付ブラケット１５５との間でコイルスプリング１５８を圧縮保持し、コイルスプリング１５８により起立する方向（図中＋Ｚ方向）へ常時付勢されている。
【００９３】
ところで、画像形成ユニット２の本体ケーシング３には駆動モータ２１１が内設されている。駆動モータ２１１は、取付ブラケット１５５に内設されてヒンジピン１５７に連結するギヤ列（図示せず）に接続し、図示しないギヤ列を介してヒンジピン１５７に回転力を付与している。そのため、駆動モータ２１１が正方向へ回転すると、連結リンク１６１が図中反時計回りに回転し、画像読取ユニット１００を開動作させることができる。一方、駆動モータ２１１が逆方向へ回転すると、連結リンク１６１が図中時計回りに回転し、画像読取ユニット１００を閉動作させることができる。なお、連結リンク１６１がコイルスプリング１５８により開方向（図中Ｚ方向）へ常時付勢されているため、駆動モータ２１１の正転時における負荷を軽減でき、また、駆動モータ２１１を逆転させて画像読取ユニット１００を閉動作させるときに、画像読取ユニット１００の回転速度を遅くさせて画像形成ユニット２に衝突する衝撃荷重を緩和することができる。
【００９４】
図１３は、図１２に示す複合機１の制御ブロック図である。
複合機１Ａの制御装置２００Ａ（画像形成中止手段）は、入出力インターフェース２０２に駆動モータ２１１が接続し、駆動ソレノイド２１１に供給する電流を制御している。
また、制御装置２００Ａは、ＨＤＤ２０５に印刷処理プログラム２０６Ａが記憶されている。印刷処理プログラム２０６Ａは、揺動位置検出センサ１３７の検出結果に応じて画像読取ユニット１００を自動的に閉位置から開位置へ向かって回動させつつ印刷を行うものである。
【００９５】
図１４は、図１２に示す複合機１Ａによる印刷処理を示すフロー図である。
本実施形態においても、ＰＣ１６０Ａから印刷指令を受けた場合を例に挙げて動作説明を行う。図１４に示す印刷処理は、図１１に示す印刷処理と同様にＳ１〜Ｓ７の処理を行い、さらに、Ｓ１０，Ｓ１１，Ｓ１２の動作を行う。すなわち、揺動位置検出センサ１３７がフルであると判断し（Ｓ１：ＹＥＳ）、画像読取ユニット１００が開状態であると判断する場合には（Ｓ４：ＹＥＳ）、排紙トレイ２６上の排出空間が広げられ、印刷を継続してもジャム等を生じる可能性が低いため、Ｓ１０において、印刷を継続する。そして、Ｓ５において、印刷が終了したか否かを判断し、印刷が終了していなければ（Ｓ５：ＮＯ）、Ｓ１に戻って印刷処理を続ける。これに対して、画像読取ユニット１００が開状態でないと判断する場合には（Ｓ４：ＮＯ）、Ｓ７において、画像形成部５を停止させて印刷を停止した後、Ｓ１１において、駆動モータ２１１を正方向へ回転させる。すると、駆動モータ２１１の駆動力が図示しないギヤ列を介して連結リンク１６１に伝達され、連結リンク１６１が図１２の図中反時計回りに回転して画像読取ユニット１００を閉位置から開位置へ向かって移動させる。このように、本実施形態では、第１実施形態と異なり、駆動モータ２１１を駆動して保持機構１５０により画像読取ユニット１００を自動的に閉位置から開位置へ向かって移動させ、排紙トレイ４６上の排出空間を広げる。これにより、用紙排出口２４から排紙される用紙が上部ケーシング１０１の下面壁１０５にぶつかってジャム等を生じる可能性が低くなるので、Ｓ１２において、印刷を再開する。即ち、駆動モータ２１１を逆回転させて連結リンク１６１を図１２の図中時計回りに回転して画像読取ユニット１００を開位置から閉位置へ向かって移動させる。
【００９６】
そして、Ｓ１に戻り、揺動位置検出センサ１３７がフルか否かを判断する。ユーザが用紙を排紙トレイ４６から取り除いていれば、押圧レバー１３６が原位置に復帰し、揺動位置検出センサ１３７が検出する最上面位置が基準設定位置を超えなくなるので、揺動位置検出センサ１３７がフルでないと判断し（Ｓ１：ＮＯ）、印刷を継続し、残りの印刷データを印刷する（Ｓ２：ＮＯ、Ｓ３）。
【００９７】
これに対して、ユーザが用紙を排紙トレイ４６から取り除く前に、駆動モータ２１１を逆回転させて画像読取ユニット１００を閉位置に戻した場合には、排紙トレイ４６に排紙された用紙の最上面位置が基準設定位置を超えたままなので、揺動位置検出センサ１３７がフルと判断し（Ｓ１：ＹＥＳ）、上記のようにＳ４以降の処理を繰り返す。
【００９８】
従って、本実施形態の複合機１Ａによれば、画像読取ユニット１００が保持機構１５０により閉位置から開位置に回動されるようになっており、揺動位置検出センサ１３７が検出した用紙の最上面位置が基準設定位置を超えるまでは、駆動モータ２１１が回転せず、保持機構１５０の連結リンク１６１を横向きの姿勢にしたまま画像読取ユニット１００を閉位置で保持するが（図１４のＳ１：ＮＯ、Ｓ２：ＮＯ、Ｓ３参照）、揺動位置検出センサ１３７が検出した用紙の最上面位置が基準設定位置を超えると、駆動モータ２１１が正方向に回転して保持機構１５０の連結リンク１６１を横向きの姿勢から起立した姿勢に変化させ、画像読取ユニット１００を閉位置から開位置に向かって自動的に回動させる（図１４のＳ１：ＹＥＳ、Ｓ４：ＮＯ、Ｓ７、Ｓ１１参照）。そのため、印刷途中でも、自動で画像読取ユニット１００を閉位置から開位置に回動させて排紙トレイ４６を開放して排出空間を広がって積載容量が増加し、ジャムなどの不具合が生じにくい。従って、本実施形態の複合機１Ａによれば、排紙トレイ４６を回動させるための空間を画像形成ユニット２内に設けていないので、画像形成ユニット２と画像読取ユニット１００との間に形成される排紙トレイ４６上の空間を小さくして装置サイズの小型化を図ることができ、また、ジャムなどの不具合を未然に防止して、良好なスタック性を維持することができる。
【００９９】
また、本実施形態の複合機１Ａは、リミットスイッチ２１２により画像読取ユニット１００の位置を検出しており、揺動位置検出センサ１３７が検出した用紙の最上面位置が基準設定位置を超え、且つ、リミットスイッチ２１２が、オン状態にされ、画像読取ユニット１００が開位置にないことを検出したときに、画像形成部５が用紙に画像を形成することを中止するので（図１４のＳ１：ＹＥＳ、Ｓ４：ＮＯ、Ｓ７参照）、排紙トレイ４６に用紙がいっぱいになった後に、無理に用紙を排紙トレイ４６に排出することを防止し、良好な印字性能を得ることができる。
【０１００】
（第３実施形態）
続いて、本発明に係る画像形成装置の第３実施形態について図面を参照して説明する。
第３実施形態の画像形成装置も、第１実施形態と同様に複合機に適用される。第３実施形態の複合機は、コピーしている間は、用紙が排紙トレイ４６にいっぱいになっても画像読取ユニット１００の開動作を許容しない点で第１実施形態の複合機１と相違する。よって、ここでは、第１実施形態と相違する点を中心に説明し、第１実施形態と共通する点については図面に同一符号を付して説明を適宜省略する。
【０１０１】
図１５は、本発明の第３実施形態に係る複合機の制御ブロック図である。
第３実施形態の複合機１は、遮断回路３０１を備える。遮断回路３０１は、ソレノイド７５に供給される電流を遮断するものである。
また、ＨＤＤ２０５に記憶される印刷処理プログラム２０６Ｂは、画像読取ユニット１００で読み取った画像を用紙にコピーするコピーモードをタッチパネル１２５により選択した場合に、許容機構７０のソレノイド７５に電流を供給しても、その電流を遮断回路３０１により遮断して画像読取ユニット１００の開動作を禁止しつつ、印刷を行うものである。
【０１０２】
図１６は、本発明の第３実施形態に係る複合機による印刷処理を示すフロー図である。
例えば、ユーザが、タッチパネル１２５でコピーモードを選択し、原稿カバー１４０を開いて原稿をプラテンガラス１０７上に載置して原稿カバー１４０を閉じた後、操作パネル１２１のスタートスイッチを押下すると、複合機１は、印刷処理プログラム２０６Ｂを読み出して実行し、プラテンガラス１０７上の原稿をイメージセンサ１０７で読み取り、読み取った画像データを用紙に印刷する。
【０１０３】
ユーザが印刷を続けていると、やがて用紙が排紙トレイ４６にいっぱいになり、揺動位置検出センサ１３７がフルであると判断される（Ｓ１：ＹＥＳ）。この場合、Ｓ４において、画像読取ユニット１００が開位置か否かを判断し、開位置でないと判断すれば（Ｓ４：ＮＯ）、Ｓ７において、ジャムなどの不具合を防止するために、印刷を停止する。そして、Ｓ２１において、タッチパネル１２５によってコピーモードが選択されているか否かを判断する。
【０１０４】
タッチパネル１２５によりコピーモードを選択されている場合には（Ｓ２１：ＹＥＳ）、画像読取ユニット１００の開動作を禁止する。Ｓ１において、排紙トレイ４６に排紙された用紙の最上面位置が基準設定位置を超え、ジャムなどの不具合を生じる危険性が認識された場合、本来ならば、許容機構７０のソレノイド７５に電流を供給し、画像読取ユニット１００の開動作を許容すべきである。しかし、コピーモードが選択されている場合には、画像読取ユニット１００の開動作を許容すると、ユーザが原稿カバー１４０を開こうとしたところ、誤って画像読取ユニット１００を開いてしまい、原稿を読み取りにくくさせたり、原稿カバー１４０を開閉する際に第一のヒンジ部Ｊ１に負荷がかかり、故障原因になる恐れがある。そのため、Ｓ２２において、ソレノイド７５へ供給する電流を遮断回路３０１により遮断し、ソレノイド７５の駆動軸７６が圧縮バネ７７に抗して移動しフック７３を回転させることを禁止する。このとき、警告灯１２６を点灯させれば、用紙が排紙トレイ４６にいっぱいになったことをユーザに知らせ、コピー終了を促すことが可能である。
【０１０５】
そして、Ｓ２３において、コピーが終了したか否かを判断する。画像読取ユニット１００が読み取った画像データを全て印刷した場合には、コピーが終了したと判断し（Ｓ２３：ＹＥＳ）、Ｓ１に戻って処理を行う。一方、読み取った画像データが残っており、コピーが終了していない場合には（Ｓ２３：ＮＯ）、Ｓ２２以降の処理を繰り返す。
【０１０６】
なお、Ｓ２１において、タッチパネル１２５によりコピーモードを選択していない場合には（Ｓ２１：ＮＯ）、ユーザが画像読取ユニット１００を使用していないと考えられるので、そのままＳ１に戻る。
【０１０７】
従って、本実施形態の複合機によれば、イメージセンサ１１５により読み取った画像を用紙に形成するコピーモードをタッチパネル１２５で選択してコピーを行っている間に、揺動位置検出センサ１３７が検出した用紙の最上面位置が基準設定位置を超えたときには、遮断回路３０１によりソレノイド７５への通電を遮断し、画像読取ユニット１００が閉位置から開位置に回動させないので、例えば、画像読取ユニット１００の原稿カバー４０を開くのを、誤って画像読取ユニット自体を閉位置から開位置に向かって回動させ、原稿の読み取り作業がやりにくくなるような不具合を未然に回避し、コピーの作業性を向上させることができる。
【０１０８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【０１０９】
（１）上記実施形態では、ファクシミリ機能、スキャナ機能、プリンタ機能、コピー機能などの多機能を有する複合機１を画像形成装置として使用したが、ファクシミリ機能のみを有するファクシミリ装置や、コピー機能のみを有するコピー装置を画像形成装置として使用してもよい。
【０１１０】
（２）上記実施形態では、積載量検出手段として、用紙に直接接触するアクチュエータ型の揺動位置検出センサ１３７を使用した。これに対して、本体ケーシング３の押圧レバー１３６より用紙取り出し口８２側の側面内壁に、用紙排出口２４から用紙トレイ４６に排出された用紙の積載量を検出する非接触の透過型の積載量検出センサを積載量検出手段として採用しても良い。すなわち、例えば、本体ケーシング３の側面内壁に投光部と受光部を排紙トレイ４６を挟んで対向配置し、排紙トレイ４６に排紙された用紙の最上面位置を検出するうにしてもよい。この場合、投光部と受光部は、排紙トレイ４６上でカールする用紙でも確実に検知できるように取付位置を高さ方向（図中Ｚ軸方向）に変えることが望ましい。上記実施形態では、用紙に直接接触するアクチュエータ型の揺動位置検出センサ１３７のみを採用するが、非接触の光透過型の積載量検出センサと揺動位置検出センサ１３７の両方を採用して検出精度を向上させてもよいし、非接触の光透過型の積載量検出センサのみを採用してもよい。
【０１１１】
（３）上記実施形態では、画像読み取りユニット１００が第一のヒンジ軸Ｊ１を介して画像形成ユニット２に回動可能に保持されているが、画像読取ユニット１００を画像形成ユニット２に対して高さ方向（図１の図中Ｚ軸方向）に平行移動可能に保持するようにしてもよい。
【０１１２】
（４）上記実施形態では、プラテンガラス１０７にセットした原稿をイメージセンサ１１５で走査して画像を読み取るようにしたが、スキャナ機能を有するスキャナハンドルを上側ケーシング１０１に着脱可能に装着するようにしてもよい。
【０１１３】
（５）上記実施形態では、リミットスイッチ２１２により画像読取ユニット１００の位置検出を行ったが、圧電センサや近接センサなどの検出部材により画像読取ユニット１００の位置検出を行うようにしてもよい。また、リミットスイッチ２１２を画像読取ユニット１００側に設けてもよい。
【０１１４】
（６）上記第１実施形態では、手動で画像読取ユニット１００を開閉したが、例えば、図１７に示す複合機のように、油圧アクチュエータ９０を用いて画像読取ユニット１００を自動的に開動作させるようにしてもよい。即ち、図１７に示すように、油圧アクチュエータ９０の本体部９１下端を第１支持ピン９２を介して本体ケーシング３に揺動可能に軸支する一方、本体部９１に摺動自在に装填されるピストン９３を上部ケーシング１０３の受け部材９４に内向きに突設された第２支持ピン９５に揺動自在に軸支するようにし、本体部９１に充填された加圧用油の弾圧力をピストン９３に図中上向きに作用させるようにしてもよい。この複合機は、排紙トレイ４６の用紙が基準設定位置を超えるまでは、許容機構７０のフック７３が係合部材７１に係合し、油圧アクチュエータ９０の弾圧力に抗して画像読取ユニット１００を閉位置で保持するが、排紙トレイ４６の用紙が基準設定位置を超えて積載され、許容機構７０のフック７３が係合部材７１から外れると、画像読取ユニット１００が油圧アクチュエータ９０の弾圧力で自動的に開動作する。そして、ユーザが排紙トレイ４６から用紙を取り出した後、開位置にある画像読取ユニット１００を下方へ押圧して画像形成ユニット２に当接させると、許容機構７０の係合部材７１がフック７３に係合し、画像読取ユニット１００が閉位置で保持される。なお、ここでは、油圧アクチュエータ９０を用いたが圧縮コイルなどの付勢手段を用いてもよい。この場合、許容機構７０のフック７３の位置を検出する検出部材を凹部７２内壁に設け、画像読取ユニット１００の位置検出を行うようにしてもよい。
【０１１５】
（７）上記第３実施形態では、許容機構７０による画像読取ユニット１００の開動作の許容を電気的に禁止したが、例えば、許容機構７０と同様の構造を有する変位禁止手段を画像読取ユニット１００と画像形成ユニット２との間に設け、機械的に画像読取ユニット１００が閉位置から開位置に回動することを禁止するようにしてもよい。
【０１１６】
（８）上記第３実施形態では、第１実施形態の複合機１がコピーモードを選択したときに、ソレノイド７５への通電を禁止するように印刷処理プログラム２０６Ｂを設けた。これに対して、第２実施形態の複合機１Ａがコピーモードを選択したときに、駆動ソレノイド２１１への通電を中止する印刷処理プログラムを設けてもよい。この場合、図１４のＳ７とＳ１１との間で図１６のＳ２１〜Ｓ２３の処理を行うようにすればよい。画像読取ユニット１００の開動作を中止する駆動中止手段としては、例えば、駆動モータ２１１への通電を遮断する遮断回路を制御装置に設けたり、駆動モータ２１１に連結するギヤ列の歯車を接離可能に設けるようにすればよい。この場合、例えば、ユーザが原稿カバー４０を開閉して原稿の読み取り作業を行っている最中に、画像読取ユニット１００が開位置に向かって突然回動し、原稿の読み取り作業がやりにくくなるような不具合を未然に回避して、コピーの作業性を向上させることができるという効果を奏する。
【図面の簡単な説明】
【０１１７】
【図１】本発明の第１実施形態に係る複合機の斜視図である。
【図２】複合機の垂直断面図である。
【図３】プロセスユニットを取り外した状態を表す複合機を表す断面図である。
【図４】原稿カバーが開いた状態の複合機を示す斜視図である。
【図５】画像読取ユニットが開位置にある状態の複合機を示す斜視図である。
【図６】複合機を背面側から見た斜視図である。
【図７】画像読取ユニットが開位置にある状態を示す側面図である。
【図８】許容機構の概略図である。
【図９】図８の左側から見た許容機構の概略図である。
【図１０】図１に示す複合機の制御ブロック図である。
【図１１】図１に示す複合機による印刷処理を示すフロー図である。
【図１２】本発明の第２実施形態に係る複合機の側面図であり、画像読取ユニットが開位置にある状態を示す。
【図１３】図１２に示す複合機の制御ブロック図である。
【図１４】図１２に示す複合機による印刷処理を示すフロー図である。
【図１５】本発明の第３実施形態に係る複合機の制御ブロック図である。
【図１６】本発明の第３実施形態に係る複合機による印刷処理を示すフロー図である。
【図１７】本発明の複合機の変形例を示す図である。
【符号の説明】
【０１１８】
１…複合機（画像形成装置）
２…画像形成ユニット（本体）
２４…用紙排出口（排出口）
４６…排紙トレイ（排出面）
７０…許容機構（許容手段）
１００…画像読取ユニット（作動体）
１２１…操作パネル（コピーモード選択手段）
１３７…揺動位置検出センサ（積載量検出手段）
３１１…遮断回路（変位禁止手段）
１５０…保持機構（駆動手段）
２１１…駆動モータ（駆動制御手段）
Ｊ１…第一のヒンジ軸（連結手段）
【図１】
0004622789.tif 000002
【図２】
0004622789.tif 000003
【図３】
0004622789.tif 000004
【図４】
0004622789.tif 000005
【図５】
0004622789.tif 000006
【図６】
0004622789.tif 000007
【図７】
0004622789.tif 000008
【図８】
0004622789.tif 000009
【図９】
0004622789.tif 000010
【図１０】
0004622789.tif 000011
【図１１】
0004622789.tif 000012
【図１２】
0004622789.tif 000013
【図１３】
0004622789.tif 000014
【図１４】
0004622789.tif 000015
【図１５】
0004622789.tif 000016
【図１６】
0004622789.tif 000017
【図１７】
0004622789.tif 000018